(57)【要約】【課題】可動体を用いたより効果的な演出を実現できる遊技機を提供する。【解決手段】遊技機は、遊技に関する画像を表示する表示部と、表示部上に表示部の少なくとも一部を露出するように配置され、内周面または外周面に歯が形成された環状ギアと、環状ギアの内側に延伸する第１腕部と、第１腕部に支持され、環状ギアの内側に配置される第１可動体と、第１腕部に回転可能に支持され、環状ギアからの動力を第１可動体に伝達する少なくとも１つの第１ギアとを備える。【選択図】図１
2015051111.tif 000002
【特許請求の範囲】
【請求項１】
遊技に関する画像を表示する表示部と、
前記表示部上に前記表示部の少なくとも一部を露出するように配置され、内周面または外周面に歯が形成された環状ギアと、
前記環状ギアの内側に延伸する第１腕部と、
前記第１腕部に支持され、前記環状ギアの内側に配置される第１可動体と、
前記第１腕部に回転可能に支持され、前記環状ギアからの動力を前記第１可動体に伝達する少なくとも１つの第１ギアと、
を備える遊技機。
【請求項２】
前記環状ギアの内側に延伸する第２腕部と、
前記第２腕部に支持され、前記環状ギアの内側に配置される第２可動体と、
前記第２腕部に回転可能に支持され、前記環状ギアからの動力を前記第２可動体に伝達する少なくとも１つの第２ギアと
をさらに備える、請求項１に記載の遊技機。
【請求項３】
前記環状ギアを回転させる第１駆動体と、
前記表示部の少なくとも一部を露出する開口を有し、前記環状ギアおよび前記第１駆動体を保持し、前記環状ギアの回転軸を中心に回転する保持体と
をさらに備える、請求項２に記載の遊技機。
【請求項４】
前記保持体の外部に設けられ、前記第１駆動体を駆動するための制御信号を送信する送信部と、
前記保持体の外周面に沿って配置されたスリップリングと、
前記保持体に設けられ、前記送信部から送信された前記制御信号を前記スリップリングを介して受信する受信部と
をさらに備える、請求項３に記載の遊技機。
【請求項５】
前記制御信号を送信するように前記送信部に指示する制御部をさらに備える、請求項４に記載の遊技機。
【請求項６】
前記第１腕部の一端および前記第２腕部の一端は、前記保持体に回転可能に保持される、請求項３から請求項５のいずれか１つに記載の遊技機。
【請求項７】
前記保持体に設けられ、前記第１腕部の一端および前記第２腕部の一端を中心に前記第１腕部および前記第２腕部を回転させる第２駆動体と、
前記第２駆動体からの動力を前記第１腕部および前記第２腕部に伝達する伝達部材と
をさらに備える請求項６に記載の遊技機。
【請求項８】
前記伝達部材は、
前記第１腕部と係合する第１係合部および前記第２腕部と係合する第２係合部を有し、
前記第２駆動体からの動力により前記保持体の円弧に沿って第１方向に移動することにより、前記第１係合部および前記第２係合部を介して、前記表示部の少なくとも一部を露出する状態から前記表示部の前記少なくとも一部を覆う状態になるまで前記第１腕部および前記第２腕部を回転させ、
前記第２駆動体からの動力により前記保持体の円弧に沿って前記第１方向と反対の第２方向に移動することにより、前記第１係合部および前記第２係合部を介して、前記表示部の前記少なくとも一部を覆う状態から前記表示部の前記少なくとも一部を露出する状態になるまで前記第１腕部および前記第２腕部を回転させる、請求項７に記載の遊技機。
【請求項９】
前記伝達部材は、内周面または外周面に歯が形成された弧状ギアであり、
前記遊技機は、
前記保持体に回転可能に保持され、前記第２駆動体からの動力を前記弧状ギアに伝達する少なくとも１つの第３ギアをさらに備える、請求項８に記載の遊技機。
【請求項１０】
前記第１可動体に回転可能に保持され、前記第１腕部が前記表示部の前記少なくとも一部を覆う状態にあるときに前記第１可動体に対して第１回転位置にあり、前記第１腕部が前記表示部の前記少なくとも一部を露出する状態にあるときに前記第１可動体に対して第２回転位置にある第３可動体と、
前記表示部の前記少なくとも一部を露出する状態から前記表示部の前記少なくとも一部を覆う状態になるまで前記第１腕部が回転する場合に、復元力により前記第３可動体を前記第２回転位置から前記第１回転位置まで回転させる弾性体と
をさらに備える、請求項６から請求項９のいずれか１つに記載の遊技機。
【請求項１１】
前記表示部の前記少なくとも一部を覆う状態から前記表示部の前記少なくとも一部を露出する状態になるまで前記第１腕部が回転する場合に、前記第３可動体は、前記保持体の内側壁に当接しながら回転することで、前記第１回転位置から前記第２回転位置まで回転する、請求項１０に記載の遊技機。
【請求項１２】
前記第１可動体に回転可能に支持され、前記第１腕部が前記表示部の前記少なくとも一部を覆う状態にあるときに前記第１可動体に対して第３回転位置にあり、前記第１腕部が前記表示部の前記少なくとも一部を露出する状態にあるときに前記第１可動体に対して第４回転位置にある第４可動体と、
前記第３可動体および前記第４可動体に係合し、前記第３可動体が前記第２回転位置から前記第１回転位置に回転することに対応して、前記第４可動体を前記第４回転位置から前記第３回転位置まで回転させ、前記第３可動体が前記第１回転位置から前記第２回転位置まで回転することに対応して、前記第４可動体を前記第３回転位置から前記第４回転位置まで回転させる係合部材と
をさらに備える、請求項１０または請求項１１に記載の遊技機。
【請求項１３】
前記係合部材は、
前記第１可動体の長手方向に対して移動可能に前記第１可動体に支持され、
前記第３可動体が前記第２回転位置から前記第１回転位置に回転することに対応して、前記第１可動体の長手方向に沿った第３方向に移動することで、前記第４可動体を前記第４回転位置から前記第３回転位置まで回転させ、
前記第３可動体が前記第１回転位置から前記第２回転位置まで回転することに対応して、前記第１可動体の長手方向に沿った前記第３方向と反対の第４方向に移動することで、前記第４可動体を前記第３回転位置から前記第４回転位置まで回転させる、請求項１２に記載の遊技機。
【請求項１４】
前記第１可動体は、前記第１腕部に回転可能に支持され、前記少なくとも１つの第１ギアを介して伝達された前記環状ギアからの動力により、回転し、
前記第２可動体は、前記第２腕部に回転可能に支持され、前記少なくとも１つの第２ギアを介して伝達された前記環状ギアからの動力により、回転する、請求項２から請求項１３のいずれか１つに記載の遊技機。
【発明の詳細な説明】
【技術分野】
【０００１】
本発明は、複数の可動体を備える遊技機に関する。
【背景技術】
【０００２】
特許文献１には、画像表示部の前面上を移動する可動体を備える遊技機が開示されている。
特許文献１  特開２０１１−１５６１７９号公報
【発明の概要】
【発明が解決しようとする課題】
【０００３】
可動体を用いたより効果的な演出を実現できる遊技機が望まれている。
【課題を解決するための手段】
【０００４】
本発明の一態様に係る遊技機は、遊技に関する画像を表示する表示部と、表示部上に表示部の少なくとも一部を露出するように配置され、内周面または外周面に歯が形成された環状ギアと、環状ギアの内側に延伸する第１腕部と、第１腕部に支持され、環状ギアの内側に配置される第１可動体と、第１腕部に回転可能に支持され、環状ギアからの動力を第１可動体に伝達する少なくとも１つの第１ギアとを備える。
【０００５】
上記遊技機は、環状ギアの内側に延伸する第１腕部および第２腕部と、第１腕部に支持され、環状ギアの内側に配置される第１可動体と、第１腕部に回転可能に支持され、環状ギアからの動力を第１可動体に伝達する少なくとも１つの第１ギアと、第２腕部に支持され、環状ギアの内側に配置される第２可動体と、第２腕部に回転可能に支持され、環状ギアからの動力を第２可動体に伝達する少なくとも１つの第２ギアとを備える。
【０００６】
上記遊技機は、環状ギアを回転させる第１駆動体と、表示部の少なくとも一部を露出する開口を有し、環状ギアおよび第１駆動体を保持し、環状ギアの回転軸を中心に回転する保持体とをさらに備えてもよい。
【０００７】
上記遊技機は、保持体の外部に設けられ、第１駆動体を駆動するための制御信号を送信する送信部と、保持体の外周面に沿って配置されたスリップリングと、保持体に保持され、送信部から送信された制御信号をスリップリングを介して受信する受信部とをさらに備えてもよい。
【０００８】
上記遊技機は、制御信号を送信するように送信部に指示する制御部をさらに備えてもよい。上記遊技機は、第１腕部の一端および第２腕部の一端は、保持体に回転可能に保持されてもよい。
【０００９】
上記遊技機は、保持体に設けられ、第１腕部の一端および第２腕部の一端を中心に第１腕部および第２腕部を回転させる第２駆動体と、第２駆動体からの動力を第１腕部および第２腕部に伝達する伝達部材とをさらに備えてもよい。
【００１０】
上記遊技機において、伝達部材は、第１腕部と係合する第１係合部および第２腕部と係合する第２係合部を有し、第２駆動体からの動力により保持体の円弧に沿って第１方向に移動することにより、第１係合部および第２係合部を介して、表示部の少なくとも一部を露出する状態から表示部の少なくとも一部を覆う状態になるまで第１腕部および第２腕部を回転させ、第２駆動体からの動力により保持体の円弧に沿って第１方向と反対の第２方向に移動することにより、第１係合部および第２係合部を介して、表示部の少なくとも一部を覆う状態から表示部の少なくとも一部を露出する状態になるまで第１腕部および第２腕部を回転させてもよい。
【００１１】
上記遊技機において、伝達部材は、内周面または外周面に歯が形成された弧状ギアであり、遊技機は、保持体に回転可能に支持され、第２駆動体からの動力を弧状ギアに伝達する少なくとも１つの第３ギアをさらに備えてもよい。
【００１２】
上記遊技機において、第１可動体に回転可能に支持され、第１腕部が表示部の少なくとも一部を覆う状態にあるときに第１可動体に対して第１回転位置にあり、第１腕部が表示部の少なくとも一部を露出する状態にあるときに第１可動体に対して第２回転位置にある第３可動体と、表示部の少なくとも一部を露出する状態から表示部の少なくとも一部を覆う状態になるまで第１腕部が回転する場合に、復元力により第３可動体を第２回転位置から第１回転位置まで回転させる弾性体とをさらに備えてもよい。
【００１３】
上記遊技機において、表示部の少なくとも一部を覆う状態から表示部の少なくとも一部を露出する状態になるまで第１腕部が回転する場合に、第３可動体は、保持体の内側壁に当接しながら回転することで、第１回転位置から第２回転位置まで回転してもよい。
【００１４】
上記遊技機は、第１可動体に回転可能に支持され、第１腕部が表示部の少なくとも一部を覆う状態にあるときに第１可動体に対して第３回転位置にあり、第１腕部が表示部の少なくとも一部を露出する状態にあるときに第１可動体に対して第４回転位置にある第４可動体と、第３可動体および第４可動体に係合し、第３可動体が第２回転位置から第１回転位置に回転することに対応して、第４可動体を第４回転位置から第３回転位置まで回転させ、第３可動体が第１回転位置から第２回転位置まで回転することに対応して、第４可動体を第３回転位置から第４回転位置まで回転させる係合部材とをさらに備えてもよい。
【００１５】
上記遊技機において、係合部材は、第１可動体の長手方向に対して移動可能に第１可動体に支持され、第３可動体が第２回転位置から第１回転位置に回転することに対応して、第１可動体の長手方向に沿った第３方向に移動することで、第４可動体を第４回転位置から第３回転位置まで回転させ、第３可動体が第１回転位置から第２回転位置まで回転することに対応して、第１可動体の長手方向に沿った第３方向と反対の第４方向に移動することで、第４可動体を第３回転位置から第４回転位置まで回転させてもよい。
【００１６】
上記遊技機において、第１可動体は、第１腕部に回転可能に支持され、少なくとも１つの第１ギアを介して伝達された環状ギアからの動力により、回転し、第２可動体は、第２腕部に回転可能に支持され、少なくとも１つの第２ギアを介して伝達された環状ギアからの動力により、回転してもよい。
【００１７】
なお、上記の発明の概要は、本発明の必要な特徴の全てを列挙したものではない。また、これらの特徴群のサブコンビネーションもまた、発明となりうる。
【図面の簡単な説明】
【００１８】
【図１】本実施形態に係る遊技機の正面図の一例を示す図である。
【図２】本実施形態に係る遊技機の正面図の一例を示す図である。
【図３】可動体作動装置の内部構成の一例を示す図である。
【図４】保持体の外周面の一部分を示す斜視図である。
【図５】スリップリングについて説明するための図である。
【図６】環状ギアについて説明するための図である。
【図７】弧状ギアについて説明するための図である。
【図８】弧状ギアについて説明するための図である。
【図９】複数の可動体の分解斜視図を示す図である。
【図１０】第１腕部の回転動作について説明するための図である。
【発明を実施するための形態】
【００１９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２０】
図１は、本実施形態に係る遊技機１０の正面図の一例を示す図である。遊技機１０は、表示部２０および可動体作動装置１００を備える。表示部２０は、遊技に関する画像を表示する。表示部２０は、例えば、予め定められた条件を満たす場合に実行される抽選に応じた演出画像を表示する。
【００２１】
可動体作動装置１００は、第１腕部１２０、第１可動体１４０、第３可動体１４２、第４可動体１４４、第２腕部１３０、第２可動体１５０、第５可動体１５２、および第６可動体１５４を２組備える。一方の組と他方の組とは、点対称に配置されている。なお、可動体作動装置１００は、第１腕部１２０、第１可動体１４０、第３可動体１４２、第４可動体１４４、第２腕部１３０、第２可動体１５０、第５可動体１５２、および第６可動体１５４を１組のみまたは３組以上備えてもよい。
【００２２】
可動体作動装置１００は、予め定められた遊技条件を満たす場合、第１腕部１２０、第１可動体１４０、第３可動体１４２、第４可動体１４４、第２腕部１３０、第２可動体１５０、第５可動体１５２、および第６可動体１５４を動作させて、特定の演出を実行する。可動体作動装置１００は、例えば、予め定められた条件を満たす場合に、特定の演出を実行してもよい。また、可動体作動装置１００は、抽選結果が当選の場合に、複数の可動体等を動作させて、他の演出を実行してもよい。
【００２３】
第１腕部１２０は、第１可動体１４０を回転可能に支持する。第２腕部１３０は、第２可動体１５０を回転可能に支持する。第１可動体１４０は、三日月状の部材である第３可動体１４２および２つの三日月状の部材を組み合わせた部材である第４可動体１４４を回転可能に支持する。第２可動体１５０は、三日月状の部材である第５可動体１５２および２つの三日月状の部材を組み合わせた部材である第６可動体１５４を回転可能に支持する。
【００２４】
図１では、第１腕部１２０および第２腕部１３０が、表示部２０の少なくとも一部を覆うように、中心方向に延伸した状態を示している。しかし、第１腕部１２０および第２腕部１３０は、第１腕部１２０の一端および第２腕部１３０の一端を中心に回転し、図２に示すように、表示部２０の少なくとも一部が露出するように、第１腕部１２０の他端および第２腕部１３０の他端が円弧に沿った方向に向くことができる。
【００２５】
図３は、可動体作動装置１００の内部構成の一例を示す図である。可動体作動装置１００は、保持体１１０を備える。保持体１１０は、表示部２０の少なくとも一部を露出する開口を有する。
【００２６】
保持体１１０は、第１可動体１４０を第１腕部１２０に対して回転させ、第２可動体１５０を第２腕部１３０に対して回転させるための動力を提供する第１駆動体１６０を保持する。また、保持体１１０は、第１腕部１２０の一端を中心に回転可能に第１腕部１２０を保持する。保持体１１０は、第２腕部１３０の一端を中心に回転可能に第２腕部１３０を保持する。
【００２７】
保持体１１０は、第１腕部１２０の一端を中心に第１腕部１２０を回転させ、第２腕部１３０の一端を中心に第２腕部１３０を回転させるための動力を提供する第２駆動体１７０をさらに備える。保持体１１０は、一組の第１腕部１２０および第２腕部１３０に対して１つの第２駆動体１７０を保持する。つまり、保持体１１０は、２つの第２駆動体１７０を備える。
【００２８】
保持体１１０は、支持リング１１１を介して回転可能に、遊技機１０の本体に支持されている。遊技機１０の本体には、保持体１１０を回転させるための動力を提供する第３駆動体４０が配置されている。第３駆動体４０は、複数のギア４２を介して保持体１１０に動力を伝達する。保持体１１０の外周面には、複数の歯が形成されており、複数のギア４２を介して保持体１１０の複数の歯に動力が伝達され、保持体１１０は回転する。
【００２９】
なお、第１駆動体１６０、第２駆動体１７０、および第３駆動体４０は、電動機でよい。また、第１腕部１２０および第２腕部１３０は、ＬＥＤなどの発光体、および発光体からの光を外部に拡散させる拡散板を有してもよい。これにより、第１腕部１２０および第２腕部１３０が回転することによる演出の効果を向上させることができる。
【００３０】
図４は、保持体１１０の外周面の一部分を示す斜視図である。保持体１１０の外周面には、複数のスリップリング１１２が配置されている。複数のスリップリング１１２のうち１つのスリップリング１１２は、遊技機１０の本体側から第１駆動体１６０および第２駆動体１７０を駆動するためのそれぞれの制御信号を保持体１１０側に伝達する信号線として機能する。複数のスリップリング１１２のうちの他の２つのスリップリング１１２は、第１駆動体１６０および第２駆動体１７０に電力を供給するための給電線および接地線として機能する。
【００３１】
遊技機１０の本体には、スリップリング１１２と電気的に接触する複数のブラシ１１３が配置されている。遊技機１０の本体側からの制御信号および電力は、複数のブラシ１１３を介して複数のスリップリング１１２に伝達される。
【００３２】
図５は、スリップリング１１２について説明するための図である。遊技機１０の本体には、送信部３０が配置されている。遊技機１０の本体には、遊技機１０を制御するマイクロコンピュータなどの制御部がさらに設けられている。制御部は、第１駆動体１６０および第２駆動体１７０を駆動するためのそれぞれの制御信号を送信するように送信部３０に指示する。制御部は、遊技機１０の遊技に関する状態が予め定められた条件を満たす場合に、それぞれの制御信号を送信するように送信部３０に指示してもよい。送信部３０は、制御部からの指示に応じて第１駆動体１６０および第２駆動体１７０を駆動するためのそれぞれの制御信号を、可動体作動装置１００に送信する。保持体１１０は、送信部３０から送信された各制御信号を受信する受信部１１４を有する。
【００３３】
送信部３０は、各制御信号をブラシ１１３を介してスリップリング１１２に伝達する。スリップリング１１２に伝達された各制御信号は、保持体１１０に配置された信号線を介して受信部１１４に伝達される。受信部１１４は、各制御信号に基づいて、第１駆動体１６０および第２駆動体１７０に駆動信号を提供する。
【００３４】
スリップリング１１２を用いることにより、保持体１１０が回転している場合でも、保持体１１０以外の場所に設けられた送信部３０から保持体１１０が有する受信部１１４に制御信号を伝達できる。また、保持体１１０以外の場所に設けられた電源から保持体１１０が保持している第１駆動体１６０および第２駆動体１７０に電力を供給できる。第１腕部１２０および第２腕部１３０がＬＥＤなどの発光体を有する場合には、発光体に電力を供給することもできる。
【００３５】
図６は、環状ギア１０２について説明するための図である。
【００３６】
環状ギア１０２は、外周面に複数の歯が形成されている。環状ギア１０２は、内周面に複数の歯が形成されてもよい。環状ギア１０２は、表示部２０の少なくとも一部を環状ギア１０２に形成された貫通開口から露出するように表示部２０上に配置されている。環状ギア１０２は、表示部２０の周囲を囲むように配置されてもよい。環状ギア１０２は、保持体１１０に回転可能に保持されている。環状ギア１０２は、保持体１１０に保持されている第１駆動体１６０からギア１６２を介して伝達された動力により回転する。
【００３７】
第１腕部１２０および第２腕部１３０は、環状ギア１０２の内側に延伸する。第１可動体１４０は、第１腕部１２０に支持され、環状ギア１０２の内側に配置される。第１腕部１２０は、環状ギア１０２からの動力を第１可動体１４０に伝達する少なくとも１つの第１ギア１４６を回転可能に支持する。第２可動体１５０は、第２腕部１３０に支持され、環状ギア１０２の内側に配置される。第２腕部１３０は、環状ギア１０２からの動力を第２可動体１５０に伝達する少なくとも１つの第２ギア１５６を回転可能に支持する。
【００３８】
環状ギア１０２が第１駆動体１６０からの動力により回転すると、第１ギア１４６および第２ギア１５６がそれぞれ回転し、動力が第１ギア１４６および第２ギア１５６を介して第１可動体１４０および第２可動体１５０に伝達される。第１可動体１４０および第２可動体１５０は、伝達された動力により回転する。本実施形態によれば、一つの第１駆動体１６０からの動力を利用して、環状ギア１０２を介して複数の駆動体を動作させることができる。
【００３９】
第１可動体１４０は、第１腕部１２０の裏面側に回転可能に配置されている。第２可動体１５０は、第２腕部１３０の表面側に配置されている。第１可動体１４０および第２可動体１５０は、環状ギア１０２の回転軸に垂直方向において重ならない位置に配置されている。これにより、第１可動体１４０および第２可動体１５０が回転した場合に、互いに干渉することを防止できる。
【００４０】
図７および図８は、弧状ギア１０４について説明するための図である。弧状ギア１０４は、保持体１１０の円弧に沿って移動可能に保持体１１０に保持されている。図７は、第１腕部１２０および第２腕部１３０が表示部２０の一部分を覆う状態を示す。図８は、第１腕部１２０および第２腕部１３０が表示部２０の一部分を露出する状態を示す。
【００４１】
第２駆動体１７０は、保持体１１０に設けられ、第１腕部１２０の一端および第２腕部１３０の一端を中心に第１腕部１２０および第２腕部１３０を回転させる。弧状ギア１０４は、第２駆動体１７０からの動力を第１腕部１２０および第２腕部１３０に伝達する伝達部材の一例である。
【００４２】
弧状ギア１０４は、第１腕部１２０と係合する突起部である第１係合部１０５および第２腕部１３０と係合する突起部である第２係合部１０６を有する。第１腕部１２０は、第１係合部１０５に対応する位置に第１係合部１０５に係合する第１係合溝１２２を有する。第２腕部１３０は、第２係合部１０６に対応する位置に第２係合部１０６に係合する第２係合溝１３２を有する。
【００４３】
第３ギア１７２は、保持体１１０に回転可能に保持され、第２駆動体１７０からの動力を弧状ギア１０４に伝達する。弧状ギア１０４は、第３ギア１７２を介して伝達された第２駆動体１７０からの動力によって、保持体１１０の円弧に沿って反時計回り（第１方向）に移動することにより、第１係合部１０５および第２係合部１０６を介して、図８に示す第１腕部１２０の他端および第２腕部１３０の他端を保持体１１０の円弧に沿った方向に向けた状態から、図７に示す環状ギア１０２の回転軸の方向に向けた状態になるまで第１腕部１２０および第２腕部１３０を回転させる。つまり、弧状ギア１０４は、第３ギア１７２を介して伝達された第２駆動体１７０からの動力によって、保持体１１０の円弧に沿って反時計回りに移動することにより、第１係合部１０５および第２係合部１０６を介して、表示部２０の少なくとも一部を露出する状態から表示部２０の少なくとも一部を覆う状態になるまで第１腕部１２０および第２腕部１３０を回転させる。
【００４４】
また、弧状ギア１０４は、第２駆動体１７０からの動力により保持体１１０の円弧に沿って時計回り（第１方向と反対の第２方向）に移動することにより、第１係合部１０５および第２係合部１０６を介して、図７に示す第１腕部１２０の他端および第２腕部１３０の他端を環状ギア１０２の回転軸の方向に向けた状態から、図８に示す保持体１１０の円弧に沿った方向に向けた状態になるまで第１腕部１２０および第２腕部１３０を回転させる。つまり、弧状ギア１０４は、第２駆動体１７０からの動力により保持体１１０の円弧に沿って時計回りに移動することにより、第１係合部１０５および第２係合部１０６を介して、表示部２０の少なくとも一部を覆う状態から表示部２０の少なくとも一部を露出する状態になるまで第１腕部１２０および第２腕部１３０を回転させる。
【００４５】
なお、弧状ギア１０４は、外周面に複数の歯が形成されているが、内周面に複数の歯が形成されてもよい。
【００４６】
第３可動体１４２は、第１腕部１２０の他端が環状ギア１０２の回転軸の方向に向いた状態にあるときに、図７に示すように、第１可動体１４０に対して略垂直な第１回転位置にある。また、第３可動体１４２は、第１腕部１２０の他端が保持体１１０の円弧に沿った方向に向いた状態にあるときに、図８に示すように、第１可動体１４０に対して略平行な第２回転位置にある。つまり、第３可動体１４２は、第１腕部１２０が表示部２０の少なくとも一部を覆う状態にあるときに第１可動体１４０に対して略垂直な第１回転位置にある。また、第３可動体１４２は、第１腕部１２０が表示部２０の少なくとも一部を露出する状態にあるときに第１可動体１４０に対して略平行な第２回転位置にある。
【００４７】
第４可動体１４４は、第１腕部１２０の他端が環状ギア１０２の回転軸の方向に向いた状態にあるときに、図７に示すように、第１可動体１４０に対して略垂直な第３回転位置にある。また、第４可動体１４４は、第１腕部１２０の他端が保持体１１０の円弧に沿った方向に向いた状態にあるときに、図８に示すように、第１可動体１４０に対して略平行な第４回転位置にある。つまり、第４可動体１４４は、第１腕部１２０が表示部２０の少なくとも一部を覆う状態にあるときに第１可動体１４０に対して略垂直な第３回転位置にある。また、第４可動体１４４は、第１腕部１２０が表示部２０の少なくとも一部を露出する状態にあるときに第１可動体１４０に対して略平行な第４回転位置にある。
【００４８】
同様に、第５可動体１５２および第６可動体１５４は、第２腕部１３０の他端が環状ギア１０２の回転軸の方向に向いた状態にあるときに、図７に示すように、第２可動体１５０に対して略垂直な回転位置にある。また、第５可動体１５２および第６可動体１５４は、第２可動体１５０の他端が保持体１１０の円弧に沿った方向に向いた状態にあるときに、図８に示すように、に対して略平行な回転位置にある。つまり、第５可動体１５２および第６可動体１５４は、第２腕部１３０が表示部２０の少なくとも一部を覆う状態にあるときに第２可動体１５０に対して略垂直な回転位置にある。また、第５可動体１５２および第６可動体１５４は、第２腕部１３０が表示部２０の少なくとも一部を露出する状態にあるときに第２可動体１５０に対して略平行な回転位置にある。
【００４９】
図９は、複数の可動体の分解斜視図を示す図である。
【００５０】
第１可動体１４０には、突起部１４３が形成されており、突起部１４３に第１ギア１４６が固定される。第１可動体１４０は、環状ギア１０２および第１ギア１４６を介して伝達された第１駆動体１６０からの動力により、突起部１４３を中心に回転する。
【００５１】
第１係合部材１４８は、螺子１４１を介して、第１可動体１４０の長手方向に対して移動可能に第１可動体１４０に支持される。第１係合部材１４８は、複数の孔が形成されており、複数の孔に沿って第１可動体１４０の長手方向に対して移動する。弾性体１４９は、第１可動体１４０および第１係合部材１４８に係合されている。弾性体１４９は、ばねまたはゴムなどでよい。
【００５２】
第１腕部１２０の他端が環状ギア１０２の回転軸の方向に向いた状態から、環状ギア１０２の円弧に沿った方向に向いた状態に移動するとき、第１係合部材１４８は、第１可動体１４０の長手方向に沿った一方向（第３方向）に移動することにより、弾性体１４９が伸張する。一方、環状ギア１０２の円弧に沿った方向に向いた状態から第１腕部１２０の他端が環状ギア１０２の回転軸の方向に向いた状態に移動するときに、延伸した弾性体１４９の復元力により、第１可動体１４０の長手方向に沿った一方向に反対の他方向（第３方向と反対の第４方向）に移動する。
【００５３】
第１係合部材１４８は、第３可動体１４２および第４可動体１４４に係合する。第１係合部材１４８は、第３可動体１４２が第１可動体１４０に交差する第１回転位置から第１可動体１４０に対して略平行な第２回転位置に回転することに対応して、第１可動体１４０の長手方向に沿った一方向（第３方向）に移動することで、第４可動体１４４を第１可動体１４０に交差する第３回転位置から第１可動体１４０に対して略平行な第４回転位置まで回転させる。また、第１係合部材１４８は、第３可動体１４２が第２回転位置から第１回転位置まで回転することに対応して、弾性体１４９の復元力により第１可動体１４０の長手方向に沿った一方向と反対の他方向（第３方向と反対の第４方向）に移動することで、第４可動体１４４を第４回転位置から第３回転位置まで回転させる。
【００５４】
なお、第２可動体１５０にも、第１可動体１４０に対する第１係合部材１４８と同様に、第２可動体１５０の長手方向に対して移動可能に支持される第２係合部材が支持されている。また、弾性体が第２可動体１５０と第２係合部材とに接続されている。第２係合部材は、第５可動体１５２および第６可動体１５４に係合する。第２係合部材は、第５可動体１５２が第２可動体１５０に交差する回転位置から第２可動体１５０に対して略平行な回転位置に回転することに対応して、第２可動体１５０の長手方向に沿った一方向に移動することで弾性体を延伸させながら、第６可動体１５４を第２可動体１５０に交差する回転位置から、第２可動体１５０に対して略平行な回転位置まで回転させる。また、第２係合部材は、第５可動体１５２が第２可動体１５０に対して略平行な回転位置から交差する位置まで回転することに対応して、弾性体の復元力により第１可動体１４０の長手方向に沿った一方向と反対の他方向に移動することで、第４可動体１４４を第２可動体１５０に対して略平行な回転位置から交差する回転位置まで回転させる。
【００５５】
図１０は、第１腕部１２０の回転動作について説明するための図である。図１０は、可動体作動装置１００を裏面側から見た部分拡大図である。
【００５６】
第１腕部１２０の他端が環状ギア１０２の回転軸の方向に向いた状態から保持体１１０の円弧に沿った方向に向いた状態になるまで第１腕部１２０が矢印２００方向に回転する場合に、第３可動体１４２は、第３可動体１４２の裏面に形成された突出部１４２ａにおいて、保持体１１０の内側壁１１５に当接しながら、矢印２０２方向に回転することで、第１可動体１４０に対して垂直な第１回転位置から第１可動体１４０に対して略平行な第２回転位置まで回転する。
【００５７】
第３可動体１４２が回転することに伴って、第３可動体１４２と係合している第１係合部材１４８が、第１可動体１４０に対して矢印２０６方向に移動する。この移動に伴い、弾性体１４９は伸張し、復元力が蓄えられる。また、第１係合部材１４８が第１可動体１４０に対して矢印２０６方向に移動することに伴い、第１係合部材１４８に係合している第４可動体１４４が、矢印２０４の方向に回転し、第１可動体１４０に対して垂直な第３回転位置から第１可動体１４０に対して略平行な第４回転位置まで回転する。
【００５８】
一方、第１腕部１２０の他端が保持体１１０の円弧に沿った方向に向いた状態から環状ギア１０２の回転軸の方向に向いた状態になるまで第１腕部１２０が回転する場合に、第１係合部材１４８は、弾性体１４９の復元力により、第１可動体１４０に対して矢印２０６方向と反対方向に移動する。第１係合部材１４８の移動に対応して、第１係合部材１４８に係合している第３可動体１４２が第２回転位置から第１回転位置まで回転し、第４可動体１４４が第４回転位置から第３回転位置まで回転する。
【００５９】
以上、本実施形態に係る可動体作動装置１００によれば、第３駆動体４０が駆動することにより、第１腕部１２０および第２腕部１３０を保持する保持体１１０が環状ギア１０２の回転軸を中心に回転する。
【００６０】
さらに、保持体１１０が保持する第１駆動体１６０が駆動することにより、環状ギア１０２が回転する。第１駆動体１６０への電力はスリップリング１１２を介して供給されるので、環状ギア１０２は、保持体１１０が回転中および停止中に回転できる。そして、環状ギア１０２の回転によって、第１腕部１２０が回転可能に支持する第１可動体１４０が、第３可動体１４２および第４可動体１４４とともに回転する。また、環状ギア１０２の回転によって、第２腕部１３０が回転可能に支持する第２可動体１５０が、第５可動体１５２および第６可動体１５４とともに回転する。
【００６１】
また、保持体１１０が保持する第２駆動体１７０が駆動することにより、弧状ギア１０４が保持体１１０の円弧に沿って移動する。第２駆動体１７０への電力はスリップリング１１２を介して供給されるので、弧状ギア１０４は、保持体１１０が回転中および停止中に保持体１１０の円弧に沿って移動できる。そして、弧状ギア１０４が保持体１１０の円弧に沿って移動することにより、弧状ギア１０４に係合している第１腕部１２０および第２腕部１３０が、第１腕部１２０の一端および第２腕部１３０の一端を中心に回転する。これにより、第１腕部１２０、第２腕部１３０、第１可動体１４０、第３可動体１４２、第４可動体１４４、第２可動体１５０、第５可動体１５２、および第６可動体１５４が、表示部２０の少なくとも一部を覆ったり、露出したりできる。
【００６２】
以上のように、本実施形態によれば、可動体作動装置１００を遊技機１０の表示部２０の周囲の限られた空間に設置でき、複数の可動体等を複数の態様で作動させることができる。よって、より効果的な演出を実現できる。また、一つの駆動体により、複数の可動体を作動させることができるので、駆動体を設置するスペースを削減でき、駆動体の増加に伴う電力消費の増加を抑制できる。
【００６３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６５】
１０  遊技機
２０  表示部
３０  送信部
４０  第３駆動体
１００  可動体作動装置
１０２  環状ギア
１０４  弧状ギア
１０５  第１係合部
１０６  第２係合部
１１０  保持体
１１１  支持リング
１１２  スリップリング
１１３  ブラシ
１１４  受信部
１２０  第１腕部
１２２  第１係合溝
１３０  第２腕部
１３２  第２係合溝
１４０  第１可動体
１４２  第３可動体
１４３  突起部
１４４  第４可動体
１４６  第１ギア
１４８  第１係合部材
１４９  弾性体
１５０  第２可動体
１５２  第５可動体
１５４  第６可動体
１５６  第２ギア
１６０  第１駆動体
１７０  第２駆動体
１７２  第３ギア
【図１】
2015051111.tif 000003
【図２】
2015051111.tif 000004
【図３】
2015051111.tif 000005
【図４】
2015051111.tif 000006
【図５】
2015051111.tif 000007
【図６】
2015051111.tif 000008
【図７】
2015051111.tif 000009
【図８】
2015051111.tif 000010
【図９】
2015051111.tif 000011
【図１０】
2015051111.tif 000012